(57)【要約】【課題】眼鏡レンズの依頼側および製造側の場所を問わず、枠入れを良好に行うことが可能な眼鏡レンズをグローバル且つスピーディに製造するシステムを提供する。【解決手段】眼鏡レンズの製造側に設置された加工装置と、眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、を有し、前記加工情報入手部から前記加工装置に送信された加工情報に従い、発注側の環境の下でも眼鏡レンズがフレームに嵌まるように、製造側の環境の下で、前記加工装置にて眼鏡レンズが製造される眼鏡レンズの製造システムである。【選択図】図１
2014164178.tif 000002
【特許請求の範囲】
【請求項１】
眼鏡レンズの製造側に設置された加工装置と、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
を有し、
前記加工情報入手部から前記加工装置に送信された加工情報に従い、発注側の環境の下でも眼鏡レンズがフレームに嵌まるように、製造側の環境の下で、前記加工装置にて眼鏡レンズが製造される眼鏡レンズの製造システム。
但し、眼鏡レンズの製造の依頼側とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。
【請求項２】
環境情報は温度に関する情報を含む請求項１に記載の眼鏡レンズの製造システム。
【請求項３】
眼鏡レンズの製造の依頼側に設置された依頼側コンピュータと、
眼鏡レンズの製造側に設置された製造側コンピュータと、
環境情報を入手する環境情報入手部と、
レンズ変形情報を入手するレンズ変形情報入手部と、
加工情報を算出する演算部と、
を有し、
前記依頼側コンピュータには、発注側の環境情報を特定するために発注側地域情報を前記環境情報入手部に送信し、且つ、レンズ変形情報を特定するために眼鏡レンズ情報を前記レンズ変形情報入手部に送信し、且つ、少なくともフレーム情報と処方値情報とを含む依頼側情報を前記演算部に送信するための依頼側送信部が備えられており、
前記製造側コンピュータには、前記加工情報入手部が備えられており、
依頼側情報、製造側情報、前記環境情報入手部から送信される環境情報、および、前記レンズ変形情報入手部から送信されるレンズ変形情報に基づき、加工情報が前記演算部により算出された後に前記加工情報入手部に送信される請求項２に記載の眼鏡レンズの製造システム。
【請求項４】
前記依頼側コンピュータは複数台である請求項１ないし３のいずれかに記載の眼鏡レンズの製造システム。
【請求項５】
眼鏡レンズの製造側に設置された加工装置と、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
を有し、
前記加工情報入手部から前記加工装置に送信された加工情報に従い、発注側の環境の下でも眼鏡レンズがフレームに嵌まるように、製造側の環境の下で、前記加工装置にて眼鏡レンズが製造される眼鏡レンズの製造装置。
但し、眼鏡レンズの製造の依頼側とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。
【請求項６】
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報に従い、発注側の環境の下でも眼鏡レンズがフレームに嵌まるように、製造側の環境の下で、前記加工装置にて眼鏡レンズを製造する眼鏡レンズの製造方法。
但し、眼鏡レンズの製造の依頼側とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。
【請求項７】
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
前記加工情報入手部により入手される加工情報を外部に送信する仲介側送信部と、
を有する眼鏡レンズの製造情報管理システム。
但し、眼鏡レンズの製造の依頼側とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。
【請求項８】
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
前記加工情報入手部により入手される加工情報を外部に送信する仲介側送信部と、
を有する眼鏡レンズの製造情報管理装置。
但し、眼鏡レンズの製造の依頼側とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。
【請求項９】
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を外部に送信する眼鏡レンズの製造情報管理方法。
但し、眼鏡レンズの製造の依頼側とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。
【発明の詳細な説明】
【技術分野】
【０００１】
本発明は、眼鏡レンズの製造システム、眼鏡レンズの製造装置、眼鏡レンズの製造方法、眼鏡レンズの製造情報管理システム、眼鏡レンズの製造情報管理装置、および眼鏡レンズの製造情報管理方法に関する。
【背景技術】
【０００２】
通常、眼鏡の購入を予定している顧客が眼鏡店に出向き、所望の眼鏡を眼鏡店に注文する。そして、眼鏡店は、注文内容を眼鏡レンズ製造業者（以降、単に「製造業者」と言う。）へと伝え、製造業者に眼鏡レンズを発注する。そして、製造業者は、注文内容に基づき眼鏡レンズを製造し、眼鏡レンズを眼鏡店へと出荷する。そして、眼鏡店にて、眼鏡枠（フレーム）に眼鏡レンズを枠入れし、眼鏡を完成させる。最終的に、眼鏡店にて顧客が当該眼鏡を受け取る仕組みとなっている。
【０００３】
眼鏡店において、顧客は、所望のフレームを選択する。そして、眼鏡店は、眼鏡店に備え付けてあるフレーム形状測定装置（以降、単に「トレーサー」とも言う。）を操作し、フレーム形状を測定する。その結果を、顧客の処方値および注文内容とともに、製造業者へと送信する。そして、製造業者は、それらに関する情報を基に、フレームに嵌るように眼鏡レンズを加工する。以降、当該加工を「枠入れ用加工」とも言う。なお、フレームに眼鏡レンズを嵌めることを「枠入れ」と言う。
【０００４】
この枠入れ用加工を行うためには、高度な技術が必要になる。しかも、枠入れ用加工は難易度が高く、結局、枠入れを上手く行えなくなる場合が、度々発生する。そのため、製造業者の手により、枠入れ用加工を精緻に行い、枠入れが確実に行われることを目的とした技術が種々開発されている。
【０００５】
例えば、特許文献１に記載のように、依頼側に備え付けられたトレーサーに関する情報を考慮して補正された測定データに基づき、製造業者が眼鏡レンズを製造する技術が知られている。具体的に言うと、依頼側から送信される注文内容のうちフレームの種類に関する情報から、主にフレームの材質の特性（伸縮度）に起因するサイズの違いを補正する。そして、該当する補正値を眼鏡レンズの加工サイズに適応させ、眼鏡レンズを製造する。最終的に、眼鏡レンズは眼鏡店へ出荷され、眼鏡店を介して顧客に眼鏡レンズを供給する。
【０００６】
また、特許文献２に記載のように、トレーサーに固有の測定誤差量と、トレーサーとは別に設けられた加工装置に固有の加工誤差量とから、加工データを得るという技術も知られている。
【先行技術文献】
【特許文献】
【０００７】
【特許文献１】ＷＯ２００７／０７７８４８号公報
【特許文献２】特開平４−１３５３９号公報
【発明の概要】
【発明が解決しようとする課題】
【０００８】
特許文献１に記載の技術においては、トレーサーに関する情報やフレームの種類に応じて、測定データを補正している。それと共に、加工装置においても別途、加工装置に関する情報に基づいて、加工データを補正している。
【０００９】
特許文献１に記載の技術は極めて有用である一方、眼鏡レンズの製造の業態が著しく変化していることに伴い、特許文献１に記載の技術だけでは枠入れを確実なものにできなくなっている。特許文献２に記載の技術を用いて、トレーサーと加工装置の各々に応じた誤差量を用いた場合であっても、眼鏡レンズの製造の業態が著しく変化していることに伴い、枠入れ用加工を精緻に行うことができず、最終的には枠入れを確実なものにできなくなっている。以下、具体的な事例を挙げて説明する。
【００１０】
まず、眼鏡店（以降、単に「発注側」とも言う。）における環境と製造業者（以降、単に「製造側」とも言う。）における環境が大きく異なる場合、枠入れが上手く行かない可能性がある。具体例を挙げると、発注側が寒冷且つ乾燥地帯に存在する一方、製造側が高温多湿地帯に存在する場合が挙げられる。この場合、発注側では寒冷且つ乾燥状態でフレーム形状を測定する。そして、当然、製造側ではそのフレーム形状の測定結果に基づいて眼鏡レンズが製造される。ただ、製造側では高温多湿状態であるため、加工前のレンズは、寒冷且つ乾燥状態のレンズに比べて膨張している。そのため、製造側では、フレーム形状の測定結果に忠実に基づいて眼鏡レンズを作ったつもりでも、寒冷且つ乾燥地帯にある発注側へと眼鏡レンズを出荷すると、当該眼鏡レンズはフレーム形状に合わず、上手く枠入れできない状況が挙げられる。
【００１１】
仮に、上記の状況に対し、試行錯誤や経験則で対応し、精緻な枠入れ用加工ができるようになったとしても、製造側において不測の事態により操業が停止してしまうと、別の製造側を用意したところで、精緻な枠入れ用加工を再度行うことが不可能な状況となってしまう。
【００１２】
現在、製造業はグローバル化が著しく進んでいる。更に、個々の顧客の要望は多様化の一途をたどっている。例えば、フレームの外観、枠入れ方法についての要望も多様化している。その一方で、情報ネットワークの発達に伴い、いかなる状況の変化にかかわらずスピーディに製品を製造することが求められている。そのような状況下で、決まった発注側および決まった製造側でしか枠入れ用加工および枠入れを精緻に行えないとなると、多様な顧客のニーズにスピーディに対応することができなくなり、製造側の国際競争力を著しく低下させてしまう事態になりかねない。
【００１３】
そこで本発明は、眼鏡レンズの発注側および製造側の場所を問わず、枠入れを良好に行うことが可能な眼鏡レンズをグローバル且つスピーディに提供することを、主たる目的とする。
【課題を解決するための手段】
【００１４】
本発明者は、上記の課題を解決するための手法について検討した。その結果、発注側の環境と製造側の環境との間の相違を加味し、製造側において眼鏡レンズの製造の基となる加工情報を得るという知見を得た。
【００１５】
以上の知見に基づいて成された本発明の態様は、以下の通りである。
本発明の第１の態様は、
眼鏡レンズの製造側に設置された加工装置と、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
を有し、
前記加工情報入手部から前記加工装置に送信された加工情報に従い、発注側の環境の下でも眼鏡レンズがフレームに嵌まるように、製造側の環境の下で、前記加工装置にて眼鏡レンズが製造される眼鏡レンズの製造システムである。
但し、眼鏡レンズの製造の依頼側とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。
第２の態様は、第１の態様に記載の態様であって、
環境情報は温度に関する情報を含む。
第３の態様は、第２の態様に記載の態様であって、
眼鏡レンズの製造の依頼側に設置された依頼側コンピュータと、
眼鏡レンズの製造側に設置された製造側コンピュータと、
環境情報を入手する環境情報入手部と、
レンズ変形情報を入手するレンズ変形情報入手部と、
加工情報を算出する演算部と、
を有し、
前記依頼側コンピュータには、発注側の環境情報を特定するために発注側地域情報を前記環境情報入手部に送信し、且つ、レンズ変形情報を特定するために眼鏡レンズ情報を前記レンズ変形情報入手部に送信し、且つ、少なくともフレーム情報と処方値情報とを含む依頼側情報を前記演算部に送信するための依頼側送信部が備えられており、
前記製造側コンピュータには、前記加工情報入手部が備えられており、
依頼側情報、製造側情報、前記環境情報入手部から送信される環境情報、および、前記レンズ変形情報入手部から送信されるレンズ変形情報に基づき、加工情報が前記演算部により算出された後に前記加工情報入手部に送信される。
第４の態様は、第１ないし第３の態様のいずれかに記載の態様であって、
前記依頼側コンピュータは複数台である。
第５の態様は、
眼鏡レンズの製造側に設置された加工装置と、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
を有し、
前記加工情報入手部から前記加工装置に送信された加工情報に従い、発注側の環境の下でも眼鏡レンズがフレームに嵌まるように、製造側の環境の下で、前記加工装置にて眼鏡レンズが製造される眼鏡レンズの製造装置である。
第６の態様は、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報に従い、発注側の環境の下でも眼鏡レンズがフレームに嵌まるように、製造側の環境の下で、前記加工装置にて眼鏡レンズを製造する眼鏡レンズの製造方法である。
第７の態様は、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
前記加工情報入手部により入手される加工情報を外部に送信する仲介側送信部と、
を有する眼鏡レンズの製造情報管理システムである。
第８の態様は、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を入手する加工情報入手部と、
前記加工情報入手部により入手される加工情報を外部に送信する仲介側送信部と、
を有する眼鏡レンズの製造情報管理装置である。
第９の態様は、
眼鏡レンズ情報とフレーム情報と処方値情報と発注側地域情報とを含む眼鏡レンズの製造の依頼側情報、加工装置情報を含む眼鏡レンズの製造側情報、眼鏡レンズの発注側の環境情報と眼鏡レンズの製造側の環境情報とを含む環境情報、および、環境に応じたレンズの変形に関するレンズ変形情報に基づき、眼鏡レンズが発注側の環境にある場合と製造側の環境にある場合との間のレンズ変形量が加味されて算出された加工情報を外部に送信する眼鏡レンズの製造情報管理方法である。
【発明の効果】
【００１６】
本発明によれば、眼鏡レンズの依頼側および製造側の場所を問わず、枠入れを良好に行うことが可能な眼鏡レンズをグローバル且つスピーディに提供することができる。
【図面の簡単な説明】
【００１７】
【図１】本実施形態における眼鏡レンズの製造システムの概略ブロック図である。
【図２】本実施形態における眼鏡レンズの製造の手順を示すフローチャートである。
【図３】実施の形態２の眼鏡レンズの製造システムに関する概略説明図である。
【図４】実施の形態３の眼鏡レンズの製造システムに関する概略説明図である。
【図５】実施の形態４の眼鏡レンズの製造情報管理システムに関する概略説明図である。
【発明を実施するための形態】
【００１８】
［実施の形態１］
以下、本発明の実施の形態について説明する。本実施形態においては、次の順序で説明を行う。
１．眼鏡レンズの製造システム
１−Ａ）依頼側コンピュータ
１−Ａ−ａ）依頼側送信部
（１）依頼側情報
（１ａ）眼鏡レンズ情報
（１ｂ）フレーム情報
（１ｃ）処方値情報
（１ｄ）発注側地域情報
１−Ｂ）製造側コンピュータ
１−Ｂ−ａ）加工装置
（２）製造側情報
（２ａ）加工装置情報
１−Ｂ−ｂ）環境情報入手部
（３）環境情報
（３ａ）発注側の環境情報
（３ｂ）製造側の環境情報
１−Ｂ−ｃ）レンズ変形情報入手部
（４）レンズ変形情報
１−Ｂ−ｄ）演算部
１−Ｂ−ｅ）加工情報入手部
（５）加工情報
１−Ｃ）その他
２．眼鏡レンズの製造装置
３．眼鏡レンズの製造システム用プログラム
４．眼鏡レンズの製造方法
５．実施の形態による効果
６．変形例
【００１９】
また、本実施形態を［実施の形態１］とし、製造側コンピュータが依頼側コンピュータから依頼を受け、製造側コンピュータに接続された加工装置によって眼鏡レンズを製造するというシンプルな場合について述べる。
【００２０】
［実施の形態２］では、製造側が複数存在する場合（少なくとも製造業者Ａおよび製造業者Ｂが存在する場合）であって以下の場合について述べる。すなわち、製造業者Ａにおいてレンズ変形量を加味した加工情報の演算を行い当該加工情報に従って眼鏡レンズの加工を行う。一方、製造業者Ａでは製造しない眼鏡レンズに関しては製造業者Ａが製造業者Ｂに眼鏡レンズの製造を依頼する。そして、依頼を受けた製造業者Ｂにおいてもレンズ変形量を加味した加工情報の演算を行う。
【００２１】
［実施の形態３］では、製造側が複数（製造業者Ａおよび製造業者Ｂ）存在する場合であって以下の場合について述べる。すなわち、製造業者Ａにおいてレンズ変形量を加味した加工情報の演算を行い当該加工情報に従って眼鏡レンズの加工を行う。一方、製造業者Ａでは製造しない眼鏡レンズに関しては製造業者Ａが製造業者Ｂに眼鏡レンズの製造を依頼する。ただ、製造業者Ｂの地域の環境情報を加味したレンズ変形量ひいては加工情報を、製造業者Ａで算出する。そして、製造業者Ｂは、製造業者Ａから送信されるレンズ変形量（場合によっては加工情報そのもの）に従って眼鏡レンズの製造を行う。
【００２２】
［実施の形態４］では、眼鏡レンズを自らが製造するのではなく、他者に眼鏡レンズを製造させる場合、即ち、眼鏡レンズの製造情報の管理に焦点を当てた場合について述べる。
【００２３】
なお、本実施形態においては、眼鏡レンズの製造システム（具体例を挙げると、依頼側コンピュータおよび製造側コンピュータのうち少なくともいずれか）として、本発明者により発明され、本出願人により開示されたＷＯ２００７／０７７８４８号公報に記載の眼鏡レンズの供給システムを改良したものを用いた場合について述べる。本明細書においては、ＷＯ２００７／０７７８４８号公報に記載の内容は全て記載されているものとする。そして、本明細書においては、本発明に重点を当てて説明する一方、特記が無い部分については、ＷＯ２００７／０７７８４８号公報に記載の内容を適宜適用しても構わない。
【００２４】
＜１．眼鏡レンズの製造システム＞
まず、本実施形態における眼鏡レンズの製造システムの機能構成について説明する。図１は、本実施形態における眼鏡レンズの製造システムの概略ブロック図である。本実施形態における眼鏡レンズの製造システムは、大きく分けて、眼鏡レンズの依頼側に設置された依頼側コンピュータ１、および、眼鏡レンズの製造側に設置された製造側コンピュータ２を有している。そして、依頼側コンピュータ１と製造側コンピュータ２との間は、通信回線３により接続されている。
【００２５】
１−Ａ）依頼側コンピュータ１
依頼側コンピュータ１は、眼鏡レンズの製造に必要な加工情報の入手を依頼する側に設置されたコンピュータのことを指す。なお、「眼鏡レンズの製造の依頼側」とは、眼鏡レンズの発注側、眼鏡レンズの発注を受けた元請が下請に対して眼鏡レンズの製造を依頼する場合の元請、または当該下請が更に別の下請に対して眼鏡レンズの製造を依頼する場合の当該下請を指す。本実施形態においては、説明をわかりやすくするために「眼鏡レンズの製造の依頼側」が「眼鏡レンズの発注側」である場合について説明する。また、「眼鏡レンズの発注側」は、本実施形態においては「眼鏡店」のことを指す。
【００２６】
本実施形態の場合、依頼側コンピュータ１は、眼鏡店に設置されたコンピュータである。眼鏡店に、眼鏡レンズの購入を検討している者（後の眼鏡装用者であり顧客）が来る。そして、眼鏡レンズを発注するための情報を顧客から入手する。当該情報は、眼鏡レンズ情報、フレーム情報、処方値情報および発注側地域情報などであるが、いずれも後で説明する。
【００２７】
なお、依頼側コンピュータ１は、コンピュータとしての機能を有したものである。依頼側コンピュータ１は、システム内に複数存在しても構わない。
また、依頼側コンピュータ１には、眼鏡レンズの製造に必要な種々の情報を管理および制御、並びに依頼側コンピュータ１に設けられた各部を管理および制御するために、制御部が存在する。ただ、この制御部の具体的な構成は、公知技術を利用して実現すればよく、ここではその詳細な説明を省略する。
【００２８】
１−Ａ−ａ）依頼側送信部４
依頼側コンピュータ１に設けられる構成としては依頼側送信部４が挙げられる。以下、構成とともに、その構成により取り扱われる情報についても説明する。
【００２９】
本実施形態における依頼側送信部４は、発注側の環境情報（３ａ）を特定するための発注側地域情報（１ｄ）を環境情報入手部７に送信し、且つ、眼鏡レンズ情報（１ａ）をレンズ変形情報入手部８に送信し、且つ、依頼側情報（１）を演算部９に送信する機能を有する。
以下、各情報について説明する。
【００３０】
なお、本実施形態において説明する情報の種類が多いため、各情報にはカッコ書きで番号および小文字のアルファベットを付す。なお、番号が同じ場合、例えば、「眼鏡レンズ情報（１ａ）やフレーム情報（１ｂ）は、依頼側情報（１）に属する」というような関連性を各情報は有している。
以降、説明の都合上、（１）、（２）・・・の記載は省略する。
【００３１】
（１）依頼側情報
依頼側情報としては、眼鏡レンズ情報、フレーム情報、処方値情報および発注側地域情報などの情報が挙げられる。以下、上記の各情報について説明する。
【００３２】
（１ａ）眼鏡レンズ情報
眼鏡レンズ情報は、フレーム情報と対になる情報であり、眼鏡レンズに関する情報である。眼鏡レンズ情報に属する情報としては、例えば、眼鏡レンズの種類（単焦点レンズ、二重焦点レンズ、累進屈折力レンズなど）、材質、レンズカーブ、レンズカラー、機能膜（調光膜，偏光膜，ハードコート膜）の有無などがある。
【００３３】
（１ｂ）フレーム情報
フレーム情報は、眼鏡レンズの外縁と嵌め合わせる部分の形状に関する情報である。フレーム情報に属する情報としては、例えば、フレームの材質、枠形状データ、フレームサイズ、あおり角、フレームカラー、フレームメーカ、モデル名などがある。フレーム情報は、例えば、眼鏡店に設置されたトレーサー５を使用することにより、入手可能である。トレーサー５は、フレームの枠形状を３次元で測定する。トレーサー５の測定結果は、フレームの枠形状データとして依頼側コンピュータ１に入力される。トレーサー５としては周知のものが使用可能である。
なお、トレーサー５に関する情報（例えばトレーサー５のメーカー、モデルなど）も、フレーム情報に含まれる。
ところで、製造側がトレーサー５を有している場合も考えられるが、フレームを選択するのは依頼側であることから、依頼側により選択されるフレームに関する情報については、説明の便宜上、フレーム情報と同様、依頼側情報に分類している。ここで言う「依頼側情報」とは、依頼の内容に起因する情報という意味である。
【００３４】
（１ｃ）処方値情報
処方値情報は、顧客が装用する眼鏡レンズに必要な処方値に関する情報である。処方値情報に属する情報としては、例えば、面度数、乱視度数、乱視軸、加入度、プリズム処方などがある。
【００３５】
（１ｄ）発注側地域情報
発注側地域情報は、後述の発注側の環境情報を入手するための引き金となる情報である。発注側地域情報としては、顧客が住む場所が挙げられる。詳しくは後述するが、依頼側送信部４により発注側地域情報が環境情報入手部７へと送信されると、環境情報入手部７は、発注側地域情報を基にして、顧客が住む場所の環境情報、すなわち発注側の環境情報を、例えば第三者媒体（例えばインターネットの気象情報）から入手する。
【００３６】
その他、眼鏡レンズの製造に必要な情報を、依頼側情報として用意してももちろん構わない。例えば、「レイアウト情報」が挙げられる。レイアウト情報に属する情報としては、例えば、瞳孔間距離（遠用瞳孔間距離、近用瞳孔間距離）、瞳孔高さ、フィッティングポイント（アイポイント）などがある。
【００３７】
１−Ｂ）製造側コンピュータ２
製造側コンピュータ２は、眼鏡レンズを製造する側に設置されたコンピュータのことを指す。発注側の環境の下でも眼鏡レンズがフレームに嵌まるように、製造側の環境の下で、加工装置６にて眼鏡レンズを製造するのに必要な加工情報を入手する。加工情報については、後で説明する。
【００３８】
なお、製造側コンピュータ２は、コンピュータとしての機能を有したものである。製造側コンピュータ２は、システム内に複数存在しても構わない。
また、製造側コンピュータ２には、眼鏡レンズの製造に必要な種々の情報を管理および制御、並びに製造側ンピュータに設けられた各部を管理および制御するために、制御部が存在する。ただ、この制御部の具体的な構成は、公知技術を利用して実現すればよく、ここではその詳細な説明を省略する。
【００３９】
製造側コンピュータ２に設けられる構成としては、以下の構成
・被加工レンズを加工することにより、眼鏡レンズを実際に製造する加工装置６
・環境情報を入手する環境情報入手部７
・レンズ変形情報を入手するレンズ変形情報入手部８
・加工情報を算出する演算部９
・眼鏡レンズが発注側の環境にある場合と製造側の環境にある場合との間のレンズ変形量が加味されて算出された加工情報を入手する加工情報入手部１０
が挙げられる。
【００４０】
１−Ｂ−ａ）加工装置６
加工装置６は、フレームに枠入れするために眼鏡レンズを玉型加工する加工装置６である。玉型加工の対象となる眼鏡レンズ（以下、「被加工レンズ」ともいう）は、レンズメーカが設計および製造して提供するもので、フレームの枠形状にあわせて未だ加工されていない状態のレンズである。一般的には外形が丸型のアンカットレンズなどが被加工レンズとして取り扱われる。加工装置６による玉型加工においては、荒加工や仕上げ加工が行われる。
荒加工は、最終的なレンズの仕上げ形状よりも一回り大きい形状に眼鏡レンズを加工する加工ステップである。
仕上げ加工は、最終的なレンズの仕上げ形状にあわせて眼鏡レンズを加工するもので、ヤゲン加工を含む加工ステップである。なお、ヤゲン加工とは、眼鏡レンズの外周面にヤゲン（例えば、山形状のヤゲン、Ｖ溝状のヤゲン（溝掘り）、平ヤゲンなど）を形成する加工をいう。
【００４１】
なお、荒加工と仕上げ加工は、工程ごとに加工ツールを変えて行ってもよいし、同じ加工ツールを用いて行ってもよい。また、荒加工と仕上げ加工は、例えば、荒加工を切削加工、仕上げ加工を研削加工で行うなど、工程ごとに加工方式を変えてもよいし、同じ加工方式を適用してもよい。また、仕上げ加工には、必要に応じて、鏡面加工を含めてもよい。鏡面加工とは、カット済みレンズのコバ面を目の細かいツールで研磨して光沢を出す加工をいう。
【００４２】
（２）製造側情報
（２ａ）加工装置情報
製造側情報としては、主に加工装置情報が挙げられる。加工装置情報は、加工装置６自身に関する情報であって、例えば、加工可否に関する情報や、加工パラメータに関する情報などが該当する。加工可否に関する情報には、例えば、加工可能な最大／最小の加工径、加工可能な最大／最小のコバ厚、加工可能なレンズ材料などが含まれる。加工パラメータには、例えば、加工ツールのツール形状、ツール径、加工対象となるヤゲン形状などが含まれる。
【００４３】
なお、その他の製造側情報としては、「製造側地域情報」が挙げられる。製造側地域情報は、後述の製造側の環境情報を入手するための引き金となる情報である。製造側地域情報としては、製造側の工場がある場所が挙げられる。ただ、後述するが、加工装置６や製造側コンピュータ２に備え付けられている温度計から製造側の環境情報を入手可能な場合は、製造側地域情報が不要となる。
【００４４】
１−Ｂ−ｂ）環境情報入手部７
（３）環境情報
本実施形態における環境情報入手部７は、眼鏡レンズの発注側の環境情報（３ａ）と眼鏡レンズの製造側の環境情報（３ｂ）を入手する機能を有する。そして、依頼側送信部４から送信された発注側地域情報（１ｄ）を受信する機能を有する。この発注側地域情報（１ｄ）は、発注側の環境情報（３ａ）を特定するためのものでもある。
【００４５】
（３ａ）発注側の環境情報
発注側の環境情報は、発注者が在住する地域の環境に関する情報であり、眼鏡レンズのサイズに変動を与える要因となる気候に関する情報である。例えば、発注時の気温や納品予定時の平均気温が挙げられる。また、平均室内気温や平均水温を使用することも挙げられる。また、同様に湿度についても環境情報として用いても構わない。これらの情報は、発注側地域情報を基に、第三者媒体から入手しても構わない。
【００４６】
（３ｂ）製造側の環境情報
製造側の環境情報は、製造業者が眼鏡レンズを製造する工場が存在する地域の環境に関する情報であり、眼鏡レンズのサイズに変動を与える要因となる気候に関する情報である。例えば、製造時の気温または平均気温が挙げられる。また、工場における平均室内気温や平均水温を使用することも挙げられる。また、同様に湿度についても環境情報として用いても構わない。これらの情報は、第三者媒体（例えばインターネットの気象情報）から入手しても構わないし、加工装置６や製造側コンピュータ２に備え付けられている温度計から入手しても構わない。
【００４７】
なお、本実施形態においては、発注側の環境と製造側の環境とが相違する場合について述べる。ただ、発注側の環境と製造側の環境とが相違しない、ないし眼鏡レンズの枠入れにおいて支障が生じない程度の差異しかない場合は、レンズ変形量を加味せずに加工情報を算出しても構わない。つまり、発注側の環境と製造側の環境とが相違の度合いにより、加工情報の算出の手法が変化する。いずれかの手法を採用するかを決定すべく「環境情報に基づく補正の要否判定部（以降、単に要否判定部とも言う。）」を環境情報入手部７およびレンズ変形情報入手部８と接続する形で、別途設けても構わない。なお、判定の基準については、眼鏡レンズの枠入れの際に求められる精度に応じて適宜決定すればよい。
【００４８】
１−Ｂ−ｂ）レンズ変形情報入手部８
（４）レンズ変形情報
本実施形態におけるレンズ変形情報入手部８は、レンズ変形情報を入手する機能を有し、且つ、依頼側送信部４から送信された眼鏡レンズ情報（１ａ）を受信する機能を有する。この眼鏡レンズ情報（１ａ）は、レンズ変形情報（４）を特定するためのものでもある。上記の要否判定部において補正が必要と判断されれば、要否判定部がレンズ変形情報入手部８に対し「レンズ変形情報を演算部９へと送信せよ」という指令を送信する。
【００４９】
そしてレンズ変形情報は、環境情報とレンズ変形量との関係についての情報であり、眼鏡レンズが発注側の環境にある場合と製造側の環境にある場合との間のレンズ変形量を算出する基となる情報である。一例を挙げると、温度差と眼鏡レンズ材料により構成されたマトリックスにて設定されるレンズ膨張率である。つまり、環境情報（温度差）とレンズ変形情報（温度差に対する半径値における変形量）とに基づき、レンズ変形量を後述の演算部９で算出することが可能となる。そして最終的に、レンズ変形量が加味された加工情報（５）に従い、発注側の環境の下でも眼鏡レンズがフレームに嵌まるように、製造側の環境の下で、加工装置６にて眼鏡レンズが製造することになる。
【００５０】
１−Ｂ−ｄ）演算部９
本実施形態における演算部９は、加工情報（５）を算出する機能を有する。なお、加工情報は、依頼側情報（１）、製造側情報（２）、環境情報入手部７から送信される環境情報（３）、および、レンズ変形情報入手部８から送信されるレンズ変形情報（４）に基づき算出される。
【００５１】
ここで算出される加工情報は、初めに環境以外の要因を加味して眼鏡レンズの加工予定形状を算出する「第１の演算」、および、発注側の環境と製造側の環境との差異に起因するレンズ変形量を第１の演算結果に加味する「第２の演算」を行うことにより算出される。以下、第１の演算および第２の演算について説明する。
【００５２】
（第１の演算）
まず、環境以外の要因を加味して眼鏡レンズの加工予定形状となる加工基礎情報を算出する。この加工基礎情報の算出は、公知の方法を用いても構わない。また、公知のパラメータを用いても構わない。加工基礎情報の例としては、眼鏡レンズ情報とフレーム情報と処方値情報と発注側地域情報とを含む眼鏡レンズの製造の依頼側情報、加工装置情報を含む眼鏡レンズの製造側情報が挙げられる。
なお、発注側が製造側に対して加工基礎情報を送信する際には、通常、発注側が入手可能な加工基礎情報が送信される。そして、製造側において、送信された加工基礎情報と、製造側が有する加工基礎情報と組み合わせることにより、全ての加工基礎情報が揃う。以降、「加工基礎情報を送信する」という表現を行う場合があるとしても、この表現は、全ての加工基礎情報を送信するとは限らず、送信する側が有する範囲の加工基礎情報を適宜送信することを意味する。
【００５３】
（第２の演算）
第２の演算においては、先に述べたように、環境情報（温度差）とレンズ変形情報（温度差に対する変形量）とに基づき、レンズ変形量を演算部９で算出する。そしてレンズ変形量を、加工基礎情報に加味する。
【００５４】
なお、その際、少なくともフレーム情報および処方値情報を、依頼側送信部４から演算部９が受信しておく。処方値情報については上述の通りであるが、ここで言う「フレーム情報」としては、具体的にはトレーサー５のメーカー、トレーサー５の種類が挙げられる。フレームのリム形状データを、フレーム情報に加えても構わない。なお、フレームのリム形状データとしては、リム形状に加え、ヤゲン位置および溝掘り時の溝の深さが挙げられる。
【００５５】
フレーム情報により、フレームにおける、眼鏡レンズが嵌め込まれる部分の形状のデータが得られる。別の言い方をすると、この形状は、眼鏡レンズが有すべき外形形状である。そして、加工基礎情報に対し、レンズ変形量を加味させることにより、目標とする外形形状を変化させる。例えば、製造側が熱帯地方に存在し、発注側が寒冷地方に存在する場合、眼鏡レンズは収縮する。そのため、製造側は、予定よりも眼鏡レンズの外形形状を大きく設定した上で算出された「加工情報」に従い、眼鏡レンズを製造することになる。
【００５６】
こうして、依頼側情報、製造側情報、環境情報入手部７から送信される環境情報、および、レンズ変形情報入手部８から送信されるレンズ変形情報に基づき、レンズ変形量が加味された加工情報が演算部９により算出される。その後、加工情報入手部１０に加工情報が送信される。
【００５７】
一旦まとめると、上記の環境情報およびレンズ変形情報を使用することにより、発注側と製造側の気候の違いにも影響されない安定したサイズの眼鏡レンズを供給することができる。また、要否判定部を設けた場合は、発注側と製造側との気候（気温）差を元に、追加のサイズ補正が必要か否かを判断する。追加のサイズ補正が必要だと判定された場合にのみ、自社で蓄積した温度差とレンズマテリアルから成るマトリックスに設定されたレンズ膨張値（すなわちレンズ変形量）を参照し、その値を発注側から製造側へ送信する。こうすることにより、安定したサイズの眼鏡レンズを供給することができることに加え、場合によっては余分な演算を行わなくて済み、更にスピーディに眼鏡レンズを製造且つ提供することが可能となる。ただ、要否判定部を設けずに、環境情報を加味して加工情報を算出しても、本発明の効果を奏することはもちろん可能である。
【００５８】
１−Ｂ−ｅ）加工情報入手部１０
（５）加工情報
本実施形態における加工情報入手部１０は、眼鏡レンズが発注側の環境にある場合と製造側の環境にある場合との間のレンズ変形量が加味されて算出された加工情報を入手する機能を有する。
【００５９】
加工情報入手部１０としては、上記の手法で演算された加工情報を入手可能な構成であれば任意のもので構わない。例えば、加工情報を記録する記録部であっても構わないし、眼鏡レンズの加工装置６に加工情報を送信する構成を有していても構わない。
【００６０】
１−Ｃ）その他
もちろん、上記の各部以外の構成を、本実施形態における加工情報入手システムに設けても構わない。例えば、既に述べたが各種の情報を記録する記録部やサーバ、通信回線３等を別途設けても構わない。また、上記の各部において「〜入手部」と名付けられた部分は、記録部を有していても構わない。更に、環境情報とレンズ変形量との関係についての情報を記憶する記憶部を設けても構わない。
【００６１】
なお、列挙した各情報は、依頼側コンピュータ１に設けられた記録部に記録しておいた情報でも構わない。顧客が、以前も同種の眼鏡レンズを製造したことがある場合、記録部に記録しておいた情報を演算部９に送信されるような構成を採用しても構わない。
【００６２】
＜２．眼鏡レンズの製造装置＞
上記の実施形態においては、加工情報を入手するために、依頼側コンピュータ１と製造側コンピュータ２とで役割を分担させた場合について述べた。その一方、本発明の特徴の一つは、環境情報および眼鏡レンズ変形情報を加工情報の算出の基とした上で、加工情報を入手することにある。そのため、環境情報および眼鏡レンズ変形情報に基づいて算出された加工情報を入手し、加工情報に基づいて眼鏡レンズを製造する装置にも、本発明が反映されており、大きな技術的特徴を有している。
【００６３】
ここで言う眼鏡レンズの製造装置は、少なくとも加工情報入手部１０を有していればよい。もちろん、加工情報入手部１０以外の各部が適宜設けられていても構わない。更に言うと、当該各部のうち、依頼側送信部４以外の全てを備えたものが好ましい。こうすることにより、製造側において加工情報を入手することが可能となり、製造側は加工情報に従って眼鏡レンズを製造することが可能になる。
【００６４】
なお、眼鏡レンズの製造装置の好ましい形態は、眼鏡レンズの製造システムを構成する各部における好ましい形態で述べた通りである。眼鏡レンズの製造システムにおいて好ましいとされた各部を備えたものが、眼鏡レンズの製造装置の好ましい形態となる。
【００６５】
＜３．眼鏡レンズの製造システム用プログラム＞
更に言うと、環境情報および眼鏡レンズ変形情報を加工情報の算出の基とした上で、加工情報を入手する加工情報入手部１０として、コンピュータを機能させる眼鏡レンズの製造システム用プログラムにも、本発明が反映されており、大きな技術的特徴を有している。もちろん、当該プログラムが格納された記録媒体にも、本発明が反映されており、大きな技術的特徴を有している。
【００６６】
ここで言う「眼鏡レンズの製造システム用プログラム」は、各コンピュータにインストールされ、制御部からの指令のもと、少なくとも加工情報入手部１０としてコンピュータを機能させられればよい。もちろん、加工情報入手部１０以外の各部としてコンピュータを適宜機能させても構わない。更に言うと、加工情報入手部１０を含め、それ以外の各部としても、コンピュータを機能させるのが好ましい。
【００６７】
なお、眼鏡レンズの製造システム用プログラムの好ましい形態は、眼鏡レンズの製造システムを構成する各部における好ましい形態で述べた通りである。眼鏡レンズの製造システムにおいて好ましいとされた各部を備えたものが、当該プログラムの好ましい形態となる。
【００６８】
＜４．眼鏡レンズの製造方法＞
以下、眼鏡レンズの製造の具体的な手順について、図２を用いて説明する。図２は、本実施形態における眼鏡レンズの製造の手順を示すフローチャートである。
【００６９】
（Ｓ１１  依頼側情報の送信ステップ）
まず、第１の演算を製造側コンピュータ２の演算部９にて行うために、演算部９へと諸々の情報を集約させる。
依頼側コンピュータ１からは、依頼側送信部４によって、眼鏡レンズ情報、フレーム情報、処方値情報および発注側地域情報を含む依頼側情報を演算部９に送信する。
【００７０】
（Ｓ１２  製造側情報の送信ステップ）
製造側コンピュータ２においては、製造側コンピュータ２に接続されている加工装置６から加工装置情報を含む製造側情報を演算部９に送信する。
【００７１】
（Ｓ２  環境情報入手ステップ）
その一方、眼鏡レンズの発注側の環境情報と眼鏡レンズの製造側の環境情報とを含む環境情報を入手すべく、依頼側コンピュータ１の依頼側送信部４から、発注側地域情報を環境情報入手部７へと送信する。環境情報入手部７は、発注側地域情報に基づき、発注者が在住する地域の温度に関する情報を公衆回線から入手する。それとともに、環境情報入手部７は、製造工場における温度に関する情報を入手する。
【００７２】
（Ｓ３  環境情報に基づく補正の要否判定ステップ）
環境情報に基づく補正の要否判定部において、環境情報に基づく補正の要否を判定する。
予め設定された眼鏡レンズの枠入れの精度を損なう程度に発注側と製造側との温度が相違するならば、補正が必要と判断し、以下の（Ｓ４  レンズ変形情報入手ステップ）へと進む。
一方、そうでないならば、補正が不要と判断し、レンズ変形情報を入手することなく（Ｓ４  レンズ変形情報入手ステップ）をスキップして（Ｓ５１  第１の演算ステップ）および（Ｓ５２  第２の演算ステップ）へと進む。この場合、（Ｓ５２  第２の演算ステップ）においては、レンズ変形量は補正の要素としては取り扱われなくなる。その場合、（Ｓ５２  第２の演算ステップ）を省略しても構わない。
【００７３】
（Ｓ４  レンズ変形情報入手ステップ）
また、製造対象となる眼鏡レンズに関するレンズ変形情報を入手すべく、依頼側コンピュータ１の依頼側送信部４から、眼鏡レンズ情報をレンズ変形情報入手部８へと送信する。レンズ変形情報入手部８は、送信された眼鏡レンズ情報に基づき、主に眼鏡レンズのマテリアルに応じたレンズ膨張率を採用し、これを入手する。
【００７４】
（Ｓ５１  第１の演算ステップ）
その後、演算部９にて、第１の演算が行われる。すなわち、加工基礎情報が演算される。
【００７５】
（Ｓ５２  第２の演算ステップ）
そして、演算部９にて、第２の演算が行われる。すなわち、加工基礎情報に対し、発注側の温度と製造側の温度の差異（環境情報）により得られるレンズ変形量による補正が行われる。
【００７６】
（Ｓ６  加工情報入手ステップ）
以上の第１の演算、および第２の演算により、加工情報が算出される。そして、当該加工情報は、加工情報入手部１０に記録される。
【００７７】
（Ｓ７  加工ステップ）
その後、加工情報は、加工情報入手部１０により加工装置６へと送信される。そして、加工情報に従い、発注側の環境の下でも眼鏡レンズがフレームに嵌まるように、製造側の環境の下で、加工装置６にて眼鏡レンズが製造される。
【００７８】
＜５．実施の形態による効果＞
本実施形態においては、発注側の環境と製造側の環境との間の相違を、製造側において眼鏡レンズの製造の基となる加工情報に加味しておくことにより、以下の効果を奏する。
【００７９】
まず、製造側の製造工場がどこであれ、更には発注者の住所がどこであれ、枠入れ用加工および枠入れを精緻に行うことが可能な眼鏡レンズを提供することができる。そして、個々の顧客の要望に応じたり、個々のトレーサー５に応じたりした上で、当該眼鏡レンズの提供が可能となる。このことは、言い換えると、製造工場がどこにあろうと、同じ品質（サイズ）の眼鏡レンズを供給することが可能となるシステムを構築可能であることを意味する。更に言うと、発注者が在住する地域においては、どの製造工場で製造した眼鏡レンズであっても、眼鏡レンズがフレームに精緻に嵌め込まれた状態を維持することが可能となる。
【００８０】
本実施形態のシステムにより、グローバル化に伴い向上する各国の天変地異のリスクの備えを十分なものとすることが可能となる。そして、個々の顧客の要望は多様化にも対応することが可能となる。しかもそれらに対し、環境情報を採用するという比較的シンプルな工夫により、スピーディに対応することが可能となる。つまり、決まった発注側および決まった製造側でしか枠入れ用加工を精緻に行えないという状況を改善することができる。その結果、多様な顧客のニーズにスピーディに対応することが可能となり、製造側の国際競争力を向上させることが可能となる。
【００８１】
更に、本実施形態のシステムならば、依頼側コンピュータ１および製造側コンピュータ２が複数である場合であっても、従来とは異なり、各々のコンピュータに合わせて良好な枠入れが可能な眼鏡レンズを製造することができる。このメリットは、グローバル化が進んでいる現状において非常に大きなものである。
【００８２】
以上、本実施形態によれば、眼鏡レンズの依頼側および製造側の場所を問わず、枠入れを良好に行うことが可能な眼鏡レンズをグローバル且つスピーディに製造するシステム等を提供することができる。
【００８３】
＜６．変形例＞
本発明の技術的範囲は上述した実施の形態に限定されるものではなく、発明の構成要件やその組み合わせによって得られる特定の効果を導き出せる範囲において、種々の変更や改良を加えた形態も含む。
【００８４】
（各部構成の設置場所）
上記の実施形態では、依頼側コンピュータ１および製造側コンピュータ２のいずれかに、上記の各部構成が設置されている場合について述べた。その一方、上記の各部構成は、必ずしも依頼側コンピュータ１および製造側コンピュータ２のいずれかに存在しなくても構わない。例えば、演算部９を別のコンピュータまたはサーバに設置しておき、依頼側情報、製造側情報、環境情報およびレンズ変形情報を演算部９に送信し、コンピュータまたはサーバ上で加工情報を演算しても構わない。そして、当該加工情報を、製造側コンピュータ２に設置された加工情報入手部１０に送信するような構成を採用しても構わない。
【００８５】
ただ、加工情報は、実際の加工に際し、最終的に取得すべき情報であることから、製造側コンピュータ２に加工情報入手部１０が存在するのが好ましい。また、依頼側送信部４についても、その名の通り、依頼側情報を演算部９などに送信する関係上、依頼側コンピュータ１に存在するのが好ましい。
【００８６】
（演算部９）
上記の実施形態においては、第１の演算および第２の演算を、製造側コンピュータ２における演算部９にて行った。その一方、依頼側コンピュータ１に演算部９を設け、且つ、製造側情報を入手自在な構成（例えば製造側情報受信部、但し不図示）を設け、依頼側コンピュータ１の演算部９において第１の演算および第２の演算を行っても構わない。また、依頼側コンピュータ１における演算部９にて第１の演算を行い、製造側コンピュータ２における演算部９にて第２の演算を行うというように、役割分担を行っても構わない。また、第１の演算の一部は依頼側コンピュータ１で行いつつ、第１の演算のその他の部分は他の場所（製造側コンピュータ２、または、別のコンピュータやサーバに設置された演算部９）で行っても構わない。また、眼鏡レンズのサイズ補正の基となる眼鏡レンズの外形形状はフレーム情報から第１の演算で算出しておき、第２の演算にてレンズ変形量を当該眼鏡レンズの外形形状に対して加味しても構わない。
【００８７】
また、上記の実施形態においては、環境情報およびレンズ変形情報を、製造側コンピュータ２に設置された演算部９に集約し、当該演算部９にてレンズ変形量の算出を行っている。その一方、環境情報入手部７が、環境情報をレンズ変形情報入手部８へと送信しても構わない。そして、レンズ変形情報入手部８にてレンズ変形量を算出しても構わない。この場合、レンズ変形情報入手部８は、演算部９の一部としても機能する。
その逆に、レンズ変形情報入手部８が、レンズ変形情報を環境情報入手部７へと送信しても構わない。そして、レンズ変形情報入手部８にてレンズ変形量を算出しても構わない。この場合、環境情報入手部７は、演算部９の一部としても機能する。
【００８８】
（眼鏡レンズの発注側）
上記の実施形態においては、「眼鏡レンズの発注側」が「眼鏡店」のことを指す場合について述べた。通常、顧客は眼鏡店の近所に住んでいるため、眼鏡店で精緻に枠入れされた眼鏡レンズは、顧客の住所においても精緻に枠入れされた状態を維持することができる。その一方、眼鏡店の地域環境とは異なる場所に顧客が住んでいるとすると、「発注側地域情報」として眼鏡店の地域の情報を使用すると、良好な枠入れ状態を最終的に維持できない可能性がある。この場合、「発注側地域情報」として、顧客の住所についての情報を設定すればよい。つまり、この場合、「眼鏡レンズの発注側」は「顧客」のことを表すようになる。このように設定することにより、顧客は眼鏡店の近所に住んでいない場合であっても、本発明の効果を奏することが可能となる。
【００８９】
［実施の形態２］
上記の実施形態の冒頭で説明したように、本実施形態においては、製造側が複数（製造業者Ａおよび製造業者Ｂ）存在する場合であって、まずは製造側Ａでレンズ変形量を加味しながら眼鏡レンズを製造し、製造業者Ａでは製造しない眼鏡レンズについては、製造業者Ｂで当該眼鏡レンズを製造する。この製造の際には、製造業者Ｂの環境情報を加味した上で、製造業者Ｂが加工情報の演算を行う。
【００９０】
以下、本実施形態を、図３を用いて説明する。図３は、別の実施形態の眼鏡レンズの製造システムに関する概略説明図である。図３における発注側（眼鏡店）には、上記の実施形態と同様、依頼側コンピュータ１およびトレーサー５が設けられている。また、製造側には、製造側コンピュータ２および加工装置６が設けられている。なお、以降に説明する［実施の形態３］についても同様とする。
【００９１】
また、本実施形態においては、加工基礎情報の演算（第１の演算）の一部が発注側で行われる場合について述べる。詳しく言うと、加工基礎情報のうち、発注側で算出可能なものについては、発注側が算出する。図３（および後述の図４）の中では、この情報のことを加工基礎情報（依頼側）と記載している。つまり本実施形態においては、［実施の形態１］の演算部９の一部が、依頼側コンピュータ１にも設けられている。なお、以降に説明する［実施の形態３］についても同様とする。
【００９２】
まず、発注側である眼鏡店が、加工基礎情報（依頼側）を算出しておく。そして、加工基礎情報を、製造業者Ａの製造側コンピュータ２へと送信する。そして、製造業者Ａの製造側コンピュータ２において、送信された加工基礎情報（依頼側）、加工装置情報のように製造業者Ａで算出可能な加工基礎情報（製造側）、製造業者Ａと発注側との環境の差異およびレンズ変形情報からレンズ変形量を算出し、最終的に加工情報を算出し、当該加工情報に従い、製造業者Ａの加工装置６にて眼鏡レンズを製造する。
【００９３】
その一方、眼鏡レンズの形状上の理由で、製造業者Ａでは製造しない眼鏡レンズの製造を依頼された場合、製造業者Ａが別の製造業者Ｂに眼鏡レンズの製造を依頼することになる。依頼の際に、製造業者Ａの製造側コンピュータ２から製造業者Ｂの製造側コンピュータ２へと、加工基礎情報を送信する。そして、製造業者Ｂは、加工基礎情報に対し、製造業者Ｂと発注側との環境の差異およびレンズ変形情報からレンズ変形量を算出し、最終的に加工情報を算出し、当該加工情報に従い、製造業者Ｂの加工装置６にて眼鏡レンズを製造する。
【００９４】
つまり掻い摘んで言うと、製造業者Ａは自分の環境と発注側の環境との相違を加味した上で眼鏡レンズを製造するし、別の製造業者Ｂも自分の環境と発注側の環境との相違を加味した上で眼鏡レンズを製造する。
【００９５】
上記の手法を採用することにより、製造業者Ａが全ての眼鏡レンズを製造する必要が無くなり、眼鏡レンズの種類に応じ、良好な枠入れが可能な眼鏡レンズを製造することが可能となる。しかも、製造業者がどの地域にいても枠入れを良好に行うことが可能な眼鏡レンズをスピーディに提供することができる。このメリットは、グローバル化が進む製造業にとって、極めて大きい。
【００９６】
なお、本実施形態において、「依頼側」が発注側（眼鏡店）である場合だと、「製造側」は製造業者Ａのことを指す。もちろん、製造業者Ａを介してではあるが、眼鏡店の依頼を製造業者Ｂが受けていることに変わりはない。一方、製造業者Ａでは製造しない眼鏡レンズの製造を製造業者Ａが依頼していることから、「依頼側」が製造業者Ａと見ることもできる。その場合、「製造側」は製造業者Ｂのことを指す。この場合、製造業者Ａは元請であり、製造業者Ｂは下請である。もちろん、別の製造業者Ｃ（別の下請）に対して、製造業者Ａが依頼した内容と同様の依頼を、製造業者Ｂが行っても構わない。
【００９７】
［実施の形態３］
上記の実施形態の冒頭で説明したように、本実施形態においては、製造側が複数（製造業者Ａおよび製造業者Ｂ）存在する場合であって、まずは製造側Ａでレンズ変形量を加味しながら眼鏡レンズを製造し、製造業者Ａでは製造しない眼鏡レンズについては、製造業者Ｂで当該眼鏡レンズを製造する。この製造の際には、製造業者Ｂではなく製造業者Ａが、製造業者Ｂの環境情報を加味した上で加工情報の演算を行い、製造業者Ｂは単に当該加工情報に従って眼鏡レンズを製造する。
【００９８】
以下、本実施形態を、図４を用いて説明する。図４は、別の実施形態の眼鏡レンズの製造システムに関する概略説明図である。
【００９９】
まず、発注側である眼鏡店が、加工基礎情報（依頼側）を算出しておく。そして、加工基礎情報（依頼側）を、製造業者Ａの製造側コンピュータ２へと送信する。そして、製造業者Ａの製造側コンピュータ２において、送信された加工基礎情報（依頼側）、製造業者Ａで算出可能な加工基礎情報（製造側）、製造業者Ａと発注側との環境の差異およびレンズ変形情報からレンズ変形量を算出し、最終的に加工情報を算出し、当該加工情報に従い、製造業者Ａの加工装置６にて眼鏡レンズを製造する。
【０１００】
その一方、眼鏡レンズの形状上の理由で、製造業者Ａでは製造しない眼鏡レンズの製造を依頼された場合、製造業者Ａが別の製造業者Ｂに眼鏡レンズの製造を依頼することになる。本実施形態においては、［実施の形態２］とは異なり、依頼の際に、製造業者Ａの製造側コンピュータ２から製造業者Ｂの製造側コンピュータ２へと、最終的な加工情報を送信する。つまり、製造業者Ａの製造側コンピュータ２において、製造業者Ｂの環境と発注側の環境との差異を加工基礎情報に加味しておく。そして、製造業者Ａが製造業者Ｂに加工情報を送信する。
【０１０１】
つまり掻い摘んで言うと、製造業者Ａは自分の環境と発注側の環境との相違を加味した上で眼鏡レンズを製造する一方、製造業者Ａは別の製造業者Ｂを下請として使用する。製造業者Ｂの環境を加味した加工情報は、製造業者Ａが算出し、これを製造業者Ｂに送信する。そして、製造業者Ｂは、製造業者Ａの下請として眼鏡レンズを製造する。しかも、下請として眼鏡レンズを製造させるにもかかわらず、製造業者Ｂの環境と発注側の環境との相違を加味した上で眼鏡レンズを製造することができる。
なお、製造業者Ａが製造業者Ｂの加工基礎情報（製造側）を有していないことも考えられる。そのため、加工情報そのものを製造業者Ａが製造業者Ｂに送信するのではなく、加工情報から加工基礎情報（製造側）を除いた情報を製造業者Ｂに送信しても、もちろん構わない。その場合、製造業者Ｂが、加工基礎情報（製造側）を除いた情報に対し、製造業者Ｂが有する加工基礎情報（製造側）を組み合わせて加工情報を算出し、加工情報に基づいて製造業者Ｂが眼鏡レンズの製造を行う。
【０１０２】
いずれにせよ、上記の手法を採用することにより、［実施の形態２］と同様の効果が得られる。その上、製造業者Ｂに対して加工情報を算出するための手法や各種情報を公開する必要がなくなる。製造業者Ｂが外国に存在する場合、このメリットは、グローバル化が進む製造業にとって、極めて大きい。
【０１０３】
なお、本実施形態において、「依頼側」が眼鏡店に該当するのか製造業者Ａに該当するか、および「製造側」が何に該当するのか等々については、［実施の形態２］で述べた内容を適用しても構わない。
【０１０４】
また、本実施形態では製造業者Ａが、製造業者Ｂの環境に合わせた加工情報を算出する場合について述べたが、製造業者ＡとＢとの環境の相違が小さい場合は、製造業者Ａと同じ高品質の眼鏡レンズを製造させるべく、環境情報として、実際に眼鏡レンズを製造する製造業者Ｂではなく製造業者Ａの環境と発注者の環境の相違を加味した加工情報を製造業者Ｂに送信しても構わない。この場合、仮に製造業者ＡとＢが遠く離れた場所に住所がある場合でも、眼鏡レンズの枠入れの精度を同等とすることが可能となる。このメリットは、グローバル化が進む製造業にとって、極めて大きい。
【０１０５】
［実施の形態４］
上記の実施形態の冒頭で説明したように、本実施形態においては、眼鏡レンズを自らが製造するのではなく、他者に眼鏡レンズを製造させる場合、即ち、眼鏡レンズの製造情報の管理に焦点を当てた場合について述べる。
【０１０６】
以下、本実施形態を、図５を用いて説明する。図５は、眼鏡レンズの製造情報管理システムに関する概略説明図である。
【０１０７】
まず、発注側である依頼者（すなわち眼鏡店）が、依頼側情報を取得しておく。そして、依頼側情報を、仲介業者の仲介側コンピュータ１１へと送信する。
【０１０８】
一方、仲介業者の仲介側コンピュータは、眼鏡レンズを実際に製造する製造業者Ａ〜Ｂが有する製造側コンピュータ２と接続している。そして、製造側情報を、製造側送信部１２から仲介業者の仲介側コンピュータ１１へと送信する。なお、本実施形態においては、加工装置６から加工装置情報を演算部９に送信するのではなく、製造側コンピュータ２に記録されていた加工装置情報を製造側送信部１２により送信する例について記載している。加工装置情報の送信手法としては、上記の実施形態に記載の手法でも構わないし、本実施形態に記載の手法でも構わない。
【０１０９】
また、仲介側コンピュータ１１には、上記の実施形態だと製造側コンピュータ２に設けられていた「環境情報入手部７」「レンズ変形情報入手部８」「演算部９」および「加工情報入手部１０」が設けられている。
【０１１０】
そして、仲介業者の仲介側コンピュータ１１の「環境情報入手部７」「レンズ変形情報入手部８」および「演算部９」において、各製造業者と発注側との環境の差異およびレンズ変形情報からレンズ変形量を算出し、最終的に加工情報を算出する。そして、算出された当該加工情報が加工情報入手部１０にて入手される。当該加工情報は、仲介側コンピュータ１１に設けられた仲介側送信部１３により、外部である各製造業者の製造側コンピュータ２に送信される。そして、製造業者Ａ〜Ｂは、当該加工情報に従い、各々の加工装置６にて眼鏡レンズを製造する。
【０１１１】
本発明の課題にて述べたように、現在、製造業はグローバル化が著しく進んでいる。それに伴い、製造業を営む者自らが眼鏡レンズを製造しない場合も増えている。つまり、実際に眼鏡レンズを製造する製造業者に対し、眼鏡レンズの加工情報を提供するという状況も急増している。この状況においても、いかなる状況の変化にかかわらずスピーディに製品を製造することが求められているという点は変わりない。むしろ、情報ネットワークの発達に伴い、上記の実施形態で挙げたような加工情報を管理することの重要性は増大しつつある。そのような状況下で、決まった発注側および決まった製造側でしか枠入れ用加工および枠入れを精緻に行えないとなると、多様な顧客のニーズにスピーディに対応することができなくなり、製造側の国際競争力を著しく低下させてしまう事態になりかねない。
【０１１２】
ところが、上記の手法を採用することにより、製造業を営む者自らは仲介業者となったとしても、製造側の製造工場がどこであれ、更には発注者の住所がどこであれ、枠入れ用加工および枠入れを精緻に行うことが可能な眼鏡レンズを提供することができる。この点は、実施の形態１と同様の効果が得られる。
【０１１３】
更に、本実施形態のシステムならば、依頼側コンピュータ１および製造側コンピュータ２が複数である場合であっても、従来とは異なり、各々のコンピュータに合わせて良好な枠入れが可能な眼鏡レンズを製造することができる。このメリットは、グローバル化が進んでいる現状において非常に大きなものである。
【０１１４】
以上、本実施形態によれば、眼鏡レンズの依頼側および製造側の場所を問わず、枠入れを良好に行うことが可能な眼鏡レンズをグローバル且つスピーディに製造するシステム等を提供することができる。
【０１１５】
なお、本実施形態において、「依頼側」が眼鏡店に該当するのか製造業者Ａに該当するか、および「製造側」が何に該当するのか等々については、［実施の形態２］で述べた内容を適用しても構わない。
【０１１６】
また、眼鏡レンズの製造情報管理システムの好ましい形態は、加工装置を必ずしも設けなくとも構わないことを除けば、眼鏡レンズの製造システムを構成する各部における好ましい形態で述べた通りである。眼鏡レンズの製造システムにおいて好ましいとされた各部を備えたものが、眼鏡レンズの製造情報管理システムの好ましい形態となる。
【０１１７】
更に、眼鏡レンズの製造情報管理装置の好ましい形態は、実施の形態１で述べたのと同様に、眼鏡レンズの製造情報管理システムを構成する各部における好ましい形態を踏襲することが可能である。また、本実施形態においては、眼鏡レンズの製造システム用プログラムや眼鏡レンズの製造方法と同様に、眼鏡レンズの製造情報管理システム用プログラムや眼鏡レンズの製造情報提供方法においても、上記の効果を奏することが可能である。
【０１１８】
１…依頼側コンピュータ、２…製造側コンピュータ、３…通信回線、４…依頼側送信部、５…トレーサー、６…加工装置、７…環境情報入手部、８…レンズ変形情報入手部、９…演算部、１０…加工情報入手部、１１…仲介側コンピュータ、１２…製造側送信部、１３…仲介側送信部
【図１】
2014164178.tif 000003
【図２】
2014164178.tif 000004
【図３】
2014164178.tif 000005
【図４】
2014164178.tif 000006
【図５】
2014164178.tif 000007